(57)【要約】【課題】レーザースキャナにより取得された反射点群の計測データに基づいて道路標示を好適な精度で検出する。【解決手段】点群フィルタリング手段２４は、道路面にて各反射点の所定近傍領域に存在する反射点群のレーザー反射強度のばらつき具合を表す指標値を算出し、当該指標値に基づいて道路面のうちレーザー反射強度が一様となる領域を定め、当該領域の反射点群を除去した反射強度起伏点群を求める。点群クラスタリング手段２６は道路標示の検出に関する所要分解能に応じて、反射強度起伏点群に対し道路面上での分布に関するクラスタリングを行い、道路標示ごとに分離された点群クラスターを生成する。道路標示候補点群抽出手段２８はレーザー反射強度に関し、点群クラスターごとに定められる閾値により当該点群クラスタに属する反射点群を分類し、閾値以上のレーザー反射強度を有する反射点群を１つの道路標示に対応する道路標示候補点群として抽出する。【選択図】図１
2018173749.tif 000002
【特許請求の範囲】
【請求項１】
レーザースキャナにより道路面から取得された反射点群の計測データに基づいて道路標示を検出する道路標示検出装置であって、
前記反射点群を構成する各反射点に対応付けて、前記道路面にて当該反射点の所定近傍領域に存在する前記反射点群のレーザー反射強度のばらつき具合を表す指標値を算出し、当該指標値に基づいて前記道路面のうち前記レーザー反射強度が一様となる領域を定め、前記反射点群のうち当該領域のものを除去した反射強度起伏点群を求めるフィルタリング手段と、
前記道路標示の検出に関する予め設定された所要分解能に応じて、前記反射強度起伏点群に対し前記道路面上での分布に関するクラスタリングを行い、前記道路標示ごとに分離された点群クラスターを生成するクラスタリング手段と、
を有することを特徴とする道路標示検出装置。
【請求項２】
請求項１に記載の道路標示検出装置において、さらに、
前記レーザー反射強度に関し、所定の基準で前記点群クラスターごとに定められる閾値により当該点群クラスターに属する前記反射点群を分類し、前記閾値以上の前記レーザー反射強度を有する前記反射点群を１つの前記道路標示に対応する道路標示候補点群として抽出する道路標示候補点群抽出手段を有すること、
を特徴とする道路標示検出装置。
【請求項３】
請求項１又は請求項２に記載の道路標示検出装置において、
前記所定近傍領域は、直径が検出対象とする前記道路標示の施工部分の最小寸法より大きく、且つ前記所要分解能以下である円であること、を特徴とする道路標示検出装置。
【請求項４】
請求項２に記載の道路標示検出装置において、
前記道路面における前記道路標示候補点群の分布領域に基づいて道路標示候補図形の画像を生成する画像生成手段と、
前記道路標示候補図形の重心から各輪郭画素までの距離を離散フーリエ変換して周波数スペクトラムを算出し、当該道路標示候補図形の画像特徴として、当該周波数スペクトラムにおける低周波数側の端部の所定周波数幅での成分と高周波数側の端部の所定周波数幅での成分とを抽出する画像特徴抽出手段と、
検出対象とする前記道路標示の前記画像特徴を予め学習した識別器を用い、前記道路標示候補図形が前記道路標示であるかを判別する道路標示判別手段と、
を有することを特徴とする道路標示検出装置。
【請求項５】
請求項４に記載の道路標示検出装置において、
前記画像特徴抽出手段は、前記画像特徴としてさらに前記道路標示候補図形のモーメントを算出すること、を特徴とする道路標示検出装置。
【請求項６】
レーザースキャナにより地表面から取得された反射点群の計測データに基づいて道路面を検出する道路面検出装置であって、
前記反射点群を水平面に投影した点群に基づいてドロネー三角形分割を行って前記反射点群を頂点とするドロネー三角形を生成し、前記反射点群から当該ドロネー三角形のうち勾配が所定の上限を超えるものの前記頂点を除去して許容勾配点群を求める許容勾配点群抽出手段と、
前記許容勾配点群に対し前記地表面上での分布に関するクラスタリングを行い、得られたクラスターのうち要素数が所定の閾値以上のものを前記道路面の候補点群として抽出する道路面候補点群抽出手段と、
を有することを特徴とする道路標示検出装置。
【請求項７】
レーザースキャナにより道路面から取得された反射点群の計測データに基づいて道路標示を検出する道路標示検出方法であって、
前記反射点群を構成する各反射点に対応付けて、前記道路面にて当該反射点の所定近傍領域に存在する前記反射点群のレーザー反射強度のばらつき具合を表す指標値を算出し、当該指標値に基づいて前記道路面のうち前記レーザー反射強度が一様となる領域を定め、前記反射点群のうち当該領域のものを除去した反射強度起伏点群を求めるフィルタリングステップと、
前記道路標示の検出に関する予め設定された所要分解能に応じて、前記反射強度起伏点群に対し前記道路面上での分布に関するクラスタリングを行い、前記道路標示ごとに分離された点群クラスターを生成するクラスタリングステップと、
を有することを特徴とする道路標示検出方法。
【請求項８】
レーザースキャナにより道路面から取得された反射点群の計測データに基づいて道路標示を検出する処理をコンピュータに行わせるためのプログラムであって、当該コンピュータを、
前記反射点群を構成する各反射点に対応付けて、前記道路面にて当該反射点の所定近傍領域に存在する前記反射点群のレーザー反射強度のばらつき具合を表す指標値を算出し、当該指標値に基づいて前記道路面のうち前記レーザー反射強度が一様となる領域を定め、前記反射点群のうち当該領域のものを除去した反射強度起伏点群を求めるフィルタリング手段、及び、
前記道路標示の検出に関する予め設定された所要分解能に応じて、前記反射強度起伏点群に対し前記道路面上での分布に関するクラスタリングを行い、前記道路標示ごとに分離された点群クラスターを生成するクラスタリング手段、として機能させることを特徴とするプログラム。
【発明の詳細な説明】
【技術分野】
【０００１】
本発明は、レーザースキャナにより取得された反射点群の計測データに基づいて道路標示や道路面を検出する技術に関する。
【背景技術】
【０００２】
地物の形状を計測する技術として、レーザースキャナを用いて、地物の形状を表す３次元点群データを取得するレーザー計測技術が存在する。例えば、モービルマッピングシステム（Mobile Mapping System：ＭＭＳ）では、車両に搭載したレーザースキャナ及びカメラを用い、道路を走行しつつ３次元点群データ及び可視画像を取得することができ、地図作成やナビゲーションのための空間データ収集に利用されている。
【０００３】
従来、道路面に描かれた道路標示に関しては、道路面を撮影した可視画像を用いて検出することが検討されている（特許文献１）。しかし、可視画像は天候や撮影時刻に応じて変化する照明状況の影響を受けやすい。
【０００４】
一方、ＭＭＳによって取得されたレーザー反射点群の計測データを用いて、道路標示を検出することも研究されている。具体的には、道路面における道路標示とそれ以外の部分（アスファルトやコンクリートなど）との色・材料の違いに伴うレーザーの反射強度の相違を利用して道路標示の検出が図られている。レーザー反射点群の計測データは、可視画像と異なり照明状況の影響を受けにくい。
【０００５】
また、ＭＭＳによるレーザー反射点群から、建物や道路などを含む都市空間の３次元モデルを自動的に生成する技術の研究・開発も行われている。
【先行技術文献】
【特許文献】
【０００６】
【特許文献１】特開２０１３−１８６６５５号公報
【発明の概要】
【発明が解決しようとする課題】
【０００７】
レーザースキャナによる反射点群の反射強度は、レーザーが物体に届くまでの距離、入射角、レーザーの強さ、物体の表面状態などによって変化する。すなわち、反射強度は同じ色・材料の物体からの反射であっても相違し得る。そのため、比較的広い空間から取得したレーザー計測データにおいて、反射強度を１つの閾値で一律に２値化して、道路標示とそれ以外の部分とを分離する手法では、閾値を適切に設定することが容易ではない、または困難となり得るという問題があった。
【０００８】
例えば、レーザスキャナからの距離が近く入射角が小さい道路面と比較して、レーザスキャナからの距離が遠く入射角が大きくなる道路面の反射点群の反射強度は道路標示の部分か否かにかかわらず総じて低くなり得る。このような場合、例えば、白色の道路標示がそれより濃い色の道路の「地」の部分より基本的には大きな反射強度を与えることを利用して両者の弁別を図ろうとしても、遠くの道路標示では反射強度が低下して、近くの道路の地の部分の反射強度との差が小さくなったり逆転したりし得る。つまり、単純な２値化では、近くの道路面と遠くの道路面との両方にて、道路標示とそれ以外の部分とを好適に弁別することが難しくなり得る。
【０００９】
さらに、比較的広い空間でのレーザー計測では、反射点群の点群密度もまた一定ではない。すなわち、点群密度はセンサーからの距離により変化し、このことが道路標示を自動的に抽出・認識することをより一層難しくしている。
【００１０】
また、道路標示の誤検出を少なくする上では、検出対象とする空間的な範囲を道路面に限定することが好適である。しかし、道路の近傍における構造物、状況は様々であり、レーザー反射点群から道路面を高精度に検出することが容易ではない場合もあった。
【００１１】
そのため、道路標示の検出・認識・地図化は基本的に人手により、または半自動にて行われており、時間・コストを要しているという問題があった。
【００１２】
本発明は上記問題点を解決するためになされたものであり、レーザースキャナにより取得された反射点群の計測データに基づいて道路標示や道路面を好適な精度で検出する技術を提供することを目的とする。
【課題を解決するための手段】
【００１３】
（１）本発明に係る道路標示検出装置は、レーザースキャナにより道路面から取得された反射点群の計測データに基づいて道路標示を検出する装置であって、前記反射点群を構成する各反射点に対応付けて、前記道路面にて当該反射点の所定近傍領域に存在する前記反射点群のレーザー反射強度のばらつき具合を表す指標値を算出し、当該指標値に基づいて前記道路面のうち前記レーザー反射強度が一様となる領域を定め、前記反射点群のうち当該領域のものを除去した反射強度起伏点群を求めるフィルタリング手段と、前記道路標示の検出に関する予め設定された所要分解能に応じて、前記反射強度起伏点群に対し前記道路面上での分布に関するクラスタリングを行い、前記道路標示ごとに分離された点群クラスターを生成するクラスタリング手段と、を有する。
【００１４】
（２）上記（１）の道路標示検出装置において、さらに、前記レーザー反射強度に関し、所定の基準で前記点群クラスターごとに定められる閾値により当該点群クラスターに属する前記反射点群を分類し、前記閾値以上の前記レーザー反射強度を有する前記反射点群を１つの前記道路標示に対応する道路標示候補点群として抽出する道路標示候補点群抽出手段を有する構成とすることができる。
【００１５】
（３）上記（１）及び（２）の道路標示検出装置において、前記所定近傍領域は、直径が検出対象とする前記道路標示の施工部分の最小寸法より大きく、且つ前記所要分解能以下である円である構成とすることができる。
【００１６】
（４）上記（２）の道路標示検出装置において、前記道路面における前記道路標示候補点群の分布領域に基づいて道路標示候補図形の画像を生成する画像生成手段と、前記道路標示候補図形の重心から各輪郭画素までの距離を離散フーリエ変換して周波数スペクトラムを算出し、当該道路標示候補図形の画像特徴として、当該周波数スペクトラムにおける低周波数側の端部の所定周波数幅での成分と高周波数側の端部の所定周波数幅での成分とを抽出する画像特徴抽出手段と、検出対象とする前記道路標示の前記画像特徴を予め学習した識別器を用い、前記道路標示候補図形が前記道路標示であるかを判別する道路標示判別手段と、を有する構成とすることができる。
【００１７】
（５）上記（４）の道路標示検出装置において、前記画像特徴抽出手段は、前記画像特徴としてさらに前記道路標示候補図形のモーメントを算出する構成とすることができる。
【００１８】
（６）本発明に係る道路面検出装置は、レーザースキャナにより地表面から取得された反射点群の計測データに基づいて道路面を検出する装置であって、前記反射点群を水平面に投影した点群に基づいてドロネー三角形分割を行って前記反射点群を頂点とするドロネー三角形を生成し、前記反射点群から当該ドロネー三角形のうち勾配が所定の上限を超えるものの前記頂点を除去して許容勾配点群を求める許容勾配点群抽出手段と、前記許容勾配点群に対し前記地表面上での分布に関するクラスタリングを行い、得られたクラスターのうち要素数が所定の閾値以上のものを前記道路面の候補点群として抽出する道路面候補点群抽出手段と、を有する。
【００１９】
（７）本発明に係る道路標示検出方法は、レーザースキャナにより道路面から取得された反射点群の計測データに基づいて道路標示を検出する方法であって、前記反射点群を構成する各反射点に対応付けて、前記道路面にて当該反射点の所定近傍領域に存在する前記反射点群のレーザー反射強度のばらつき具合を表す指標値を算出し、当該指標値に基づいて前記道路面のうち前記レーザー反射強度が一様となる領域を定め、前記反射点群のうち当該領域のものを除去した反射強度起伏点群を求めるフィルタリングステップと、前記道路標示の検出に関する予め設定された所要分解能に応じて、前記反射強度起伏点群に対し前記道路面上での分布に関するクラスタリングを行い、前記道路標示ごとに分離された点群クラスターを生成するクラスタリングステップと、を有する。
【００２０】
（８）本発明に係るプログラムは、レーザースキャナにより道路面から取得された反射点群の計測データに基づいて道路標示を検出する処理をコンピュータに行わせるためのプログラムであって、当該コンピュータを、前記反射点群を構成する各反射点に対応付けて、前記道路面にて当該反射点の所定近傍領域に存在する前記反射点群のレーザー反射強度のばらつき具合を表す指標値を算出し、当該指標値に基づいて前記道路面のうち前記レーザー反射強度が一様となる領域を定め、前記反射点群のうち当該領域のものを除去した反射強度起伏点群を求めるフィルタリング手段、及び、前記道路標示の検出に関する予め設定された所要分解能に応じて、前記反射強度起伏点群に対し前記道路面上での分布に関するクラスタリングを行い、前記道路標示ごとに分離された点群クラスターを生成するクラスタリング手段、として機能させる。
【発明の効果】
【００２１】
本発明によれば、レーザースキャナにより取得された反射点群の計測データに基づいて道路標示や道路面を好適な精度で自動検出することが容易となる。
【図面の簡単な説明】
【００２２】
【図１】本発明の実施形態に係る道路標示検出システムの概略の構成を示すブロック図である。
【図２】本発明の実施形態に係る道路標示検出システムがレーザー計測データから道路標示を検出・認識する処理の概略のフロー図である。
【図３】本発明の実施形態に係る道路標示検出システムにおける主に許容勾配点群抽出手段の処理の概略のフロー図である。
【図４】許容勾配点群抽出手段の処理を説明する模式図である。
【図５】本発明の実施形態に係る道路標示検出システムにおける主に道路面候補点群抽出手段の処理の概略のフロー図である。
【図６】本発明の実施形態に係る道路標示検出システムにおける、道路面から道路標示オブジェクトを抽出する処理の概略のフロー図である。
【図７】点群フィルタリング手段による、各反射点の近傍領域での反射点群のレーザー反射強度のばらつきの指標値を算出する処理を説明する模式図である。
【図８】本発明の実施形態に係る道路標示検出システムにおける、道路面から道路標示オブジェクトを抽出する処理を説明する模式図である。
【図９】本発明の実施形態に係る道路標示検出システムにおける、道路標示オブジェクトの判別処理の概略のフロー図である。
【発明を実施するための形態】
【００２３】
以下、本発明の実施の形態（以下実施形態という）である道路標示検出システム２について、図面に基づいて説明する。本システムは、道路標示を検出しようとする対象空間からレーザースキャナにより取得した反射点群の計測データに基づいて道路標示を検出するシステムであり、地表面から道路面を検出する本発明に係る道路面検出装置と、道路面から道路標示を検出する本発明に係る道路標示検出装置とを含んで構成される。
【００２４】
反射点群の計測データは例えば、ＭＭＳにより取得される。ＭＭＳでは、自動車に搭載されたレーザースキャナは車体の上部から斜め下方向や斜め上方向にレーザーを照射し、物体からのレーザー反射光を検出する。レーザーの光軸は横方向に走査され、走査角度範囲内にて微小角度ごとにレーザーパルスが発射される。レーザーの発射から反射光の受信までの時間に基づいて距離が計測され、またその際、レーザーの発射方向、時刻、及び車体の位置・姿勢などが計測される。これらの計測データから、レーザーパルスを反射した点の対象空間における３次元座標を表す点群データが求められる。またレーザースキャナは反射光の強度（反射強度）を計測する。
【００２５】
道路標示は路面に描かれる標示であり、法律上は道路の交通に関する規制又は指示を表示する標示であるが、道路標示検出システム２が検出対象とする道路標示は法定のものに限られない。また、道路標示は基本的に、コンクリート、アスファルトなどで舗装された地表面に設けられるので、本実施形態における道路面は基本的にそのような材料からなる舗装面である。一方、道路標示検出システム２は舗装面にペイント等で描かれた標示を道路標示として検出対象とすることができ、当該舗装面が道路であるか否かを問わず用いることができる。よって、本実施形態における道路面は、車道及び歩道を含む道路の他、例えば、駐車場などの舗装面を含み得る。
【００２６】
図１は、道路標示検出システム２の概略の構成を示すブロック図である。本システムは、演算処理装置４、記憶装置６、入力装置８及び出力装置１０を含んで構成される。演算処理装置４として、本システムの各種演算処理を行う専用のハードウェアを作ることも可能であるが、本実施形態では演算処理装置４は、コンピュータ及び、当該コンピュータ上で実行されるプログラムを用いて構築される。
【００２７】
当該コンピュータのＣＰＵ（Central Processing Unit）が演算処理装置４を構成し、後述する許容勾配点群抽出手段２０、道路面候補点群抽出手段２２、点群フィルタリング手段２４、点群クラスタリング手段２６、道路標示候補点群抽出手段２８、画像生成手段３０、画像特徴抽出手段３２及び道路標示判別手段３４として機能する。
【００２８】
記憶装置６はコンピュータに内蔵されるハードディスクなどで構成される。記憶装置６は演算処理装置４を許容勾配点群抽出手段２０、道路面候補点群抽出手段２２、点群フィルタリング手段２４、点群クラスタリング手段２６、道路標示候補点群抽出手段２８、画像生成手段３０、画像特徴抽出手段３２及び道路標示判別手段３４として機能させるためのプログラム及びその他のプログラムや、本システムの処理に必要な各種データを記憶する。例えば、記憶装置６は、処理対象データとしてレーザー計測データ４０を格納する。また、記憶装置６は、予め道路標示の画像特徴を検出対象とする道路標示ごとに学習して生成された識別器４２を格納する。
【００２９】
入力装置８は、キーボード、マウスなどであり、ユーザが本システムへの操作を行うために用いる。また、入力装置８には、他のシステムからデータを入力するインターフェース装置が含まれ得る。
【００３０】
出力装置１０は、ディスプレイ、プリンタなどであり、本システムにより求められた道路面や道路標示を画面表示、印刷等によりユーザに示す等に用いられる。
【００３１】
許容勾配点群抽出手段２０は、地表面から取得された反射点群を水平面に投影した点群に基づいてドロネー三角形分割を行って反射点群を頂点とするドロネー三角形を生成する。つまり、分割は水平面にて行われるが、ドロネー三角形は３次元空間で定義される。そして、許容勾配点群抽出手段２０は反射点群から、当該ドロネー三角形のうち勾配が所定の上限を超えるものの頂点をなす反射点を除去し、残った反射点群を許容勾配点群として出力する。
【００３２】
道路面候補点群抽出手段２２は、許容勾配点群からノイズ点群を除去し道路面の候補点群を抽出する。例えば、道路面候補点群抽出手段２２は、許容勾配点群に対し地表面上での分布に関するクラスタリングを行い、得られたクラスターのうち要素数が所定の閾値未満のものをノイズとして除去し、当該閾値以上のものを道路面の候補点群として抽出する。具体的には、道路面候補点群抽出手段２２は当該クラスタリング処理として、許容勾配点群におけるユークリッド距離に基づくクラスタリングを行う。
【００３３】
点群フィルタリング手段２４は、反射点群を構成する各反射点に対応付けて、道路面にて当該反射点の所定近傍領域に存在する反射点群のレーザー反射強度のばらつき具合を表す指標値を算出する。そして、当該指標値に基づいて道路面のうちレーザー反射強度が一様となる領域を定め、反射点群のうち当該領域のものを除去した反射強度起伏点群を求める。
【００３４】
点群クラスタリング手段２６は、道路標示の検出に関する予め設定された所要分解能に応じて、反射強度起伏点群に対し前記道路面上での分布に関するクラスタリングを行い、道路標示ごとに分離された点群クラスターを生成する。具体的には、点群クラスタリング手段２６は当該クラスタリング処理として、反射強度起伏点群におけるユークリッド距離に基づくクラスタリングを行う。
【００３５】
道路標示候補点群抽出手段２８は、レーザー反射強度に関し、所定の基準で点群クラスターごとに定められる閾値により当該点群クラスターに属する反射点群を分類し、閾値以上のレーザー反射強度を有する反射点群を１つの道路標示に対応する道路標示候補点群として抽出する。
【００３６】
画像生成手段３０は、道路面における道路標示候補点群の分布領域に基づいて道路標示候補図形の画像を生成する。
【００３７】
画像特徴抽出手段３２は、道路標示候補図形の重心から各輪郭画素までの距離を離散フーリエ変換して周波数スペクトラムを算出し、当該道路標示候補図形の画像特徴として、当該周波数スペクトラムにおける低周波数側の端部の所定周波数幅での成分と高周波数側の端部の所定周波数幅での成分とを抽出する。本実施形態では画像特徴抽出手段３２は画像特徴としてさらに道路標示候補図形のモーメントを算出する。
【００３８】
道路標示判別手段３４は、検出対象とする道路標示の画像特徴を、記憶装置６に記憶されている識別器４２を用い、道路標示候補図形が道路標示であるかを判別する。
【００３９】
レーザー計測データ４０は、道路を走行するＭＭＳにより取得された反射点群の計測データであり、各反射点の３次元座標及び反射強度の情報を含む。なお、対象空間での３次元座標系として直交座標系ＸＹＺを定義し、ＸＹ平面を水平面とし、Ｚ軸を正の向きが上向きである鉛直軸と定義する。
【００４０】
識別器４２は道路標示についての学習用データを用いた機械学習により生成される。学習は例えば、サポートベクターマシーンなどの方法により行われる。識別器４２は道路標示候補図形の画像特徴を入力とし、道路標示である尤度を算出する関数である。識別器４２は例えば、検出対象とする道路標示ごとに用意される。
【００４１】
図２は道路標示検出システム２がレーザー計測データ４０から道路標示を検出・認識する処理の概略のフロー図である。道路標示検出システム２はレーザー計測データ４０から、道路面を抽出し（ステップＳ１）、道路面から道路標示オブジェクトを抽出し（ステップＳ２）、そして、識別器４２を用いて道路標示オブジェクトが道路標示であるか否かの判定、及びどの道路標示であるかの判別を行う（ステップＳ３）。
【００４２】
具体的には、ステップＳ１は、許容勾配点群抽出手段２０及び道路面候補点群抽出手段２２により行われ、レーザー計測データ４０から道路面候補点群が抽出される。ステップＳ２は、点群フィルタリング手段２４、点群クラスタリング手段２６及び道路標示候補点群抽出手段２８により行われ、道路面候補点群から道路標示候補点群が抽出される。ここで、対象空間の道路面には複数の道路標示が存在し得る。道路標示候補点群はそれら複数の道路標示ごとに定義される。つまり、各道路標示候補点群は１つの道路標示の候補となるオブジェクト（道路標示オブジェクト）として抽出される。ステップＳ３は画像生成手段３０、画像特徴抽出手段３２及び道路標示判別手段３４により行われ、道路標示オブジェクトの表現形式を道路標示候補点群から画像に変換し、画像特徴に基づいて道路標示の認識処理が行われる。
【００４３】
図３は図２のステップＳ１の一部の処理を説明する概略のフロー図であり、ステップＳ１のうち主に許容勾配点群抽出手段２０の処理に関する部分が示されている。
【００４４】
許容勾配点群抽出手段２０は記憶装置６から対象空間のレーザー計測データ４０を読み出す。既に述べたようにＭＭＳのレーザースキャナは車上から斜め下方向及び斜め上方向にレーザーを照射するので、レーザー計測データ４０には地表面の反射点群だけでなく、道路沿いの建物、街路樹などの反射点群も含まれる。そこで、許容勾配点群抽出手段２０は、レーザー計測データ４０に含まれる反射点群のうち、レーザースキャナより高いＺ座標を有する反射点（又はレーザースキャナから上向きに発射されたレーザーパルスに対応する反射点）を、道路面を構成しない反射点群として、当該反射点のレーザー計測データ４０を道路外計測データＥ１へ分離し除去する（ステップＳ１０にて「Ｙｅｓ」の場合）。
【００４５】
許容勾配点群抽出手段２０は、レーザー計測データ４０から道路外計測データＥ１を除いた残りのデータを構成する反射点群を水平面に投影した点群についてドロネー三角形分割を行う（ステップＳ１２）。許容勾配点群抽出手段２０は、水平面上で定義されたドロネー三角形の頂点に対応する反射点を頂点として、３次元空間でのドロネー三角形を定義する。これによりステップＳ１２にて、地表面のポリゴンモデルとして、当該ドロネー三角形からなるＴＩＮ（Triangulated Irregular Network）モデルが生成される。
【００４６】
許容勾配点群抽出手段２０はＴＩＮを構成する各三角形の勾配を算出し（ステップＳ１４）、道路面に想定されない程に急な勾配が存在する箇所の反射点を、道路面を構成しない反射点群として、当該反射点のレーザー計測データ４０を道路外計測データＥ２へ分離し除去する（ステップＳ１６にて「Ｙｅｓ」の場合）。具体的には、ステップＳ１６にて、三角形の勾配が所定の上限Ｔｈ１を超える場合に、当該三角形の頂点をなす反射点を道路外計測データＥ２へ分類する。例えば、勾配の上限Ｔｈ１は３０％とすることができる。ちなみに、法令で定められる道路の最大縦断勾配は１２％であるので、上限勾配を３０％程度とした場合、道路面の反射点が誤って除去される可能性は低く、一方、例えば、車道と歩道との境界の段差・スロープなどの道路面以外では生じ得る急傾斜部分の反射点は好適に除去され得る。
【００４７】
図４は許容勾配点群抽出手段２０の処理を説明する模式図である。図４は例えば、車道と歩道との境界における反射点群の一例を示している。図４において、車道面５０に対し歩道面５２は高くなっており、境界には段差面５４が存在する。反射点のＺ座標の違いを理解し易くするために図４では、車道面５０の反射点を“●”印、歩道面５２の反射点を“○”印、段差面の反射点を“×”印で表している。図４（ａ）はレーザー計測データ４０から道路外計測データＥ１を除いた後の反射点群の例を示す斜視図であり、図４（ｂ）は図４（ａ）の反射点群を投影した水平面を示す平面図である。図４（ａ）及び（ｂ）には、図４（ｂ）の水平面に投影した点群に対するドロネー三角形分割により生成された三角形の例を点線で示している。それら三角形のうち車道面５０内にある三角形（全ての頂点が“●”であるもの）や歩道面５２内にある三角形（全ての頂点が“○”であるもの）の勾配の値は、たとえ道路が傾斜地に設けられていても、基本的には上限勾配を超えない。一方、車道と歩道との境界の段差部には車道面５０、歩道面５２、段差面５４のうちの複数の面に頂点を有する三角形が形成される。このような三角形は車道面５０に対して比較的急峻な角度で立ち、勾配が上限を超える結果、当該三角形の頂点をなす反射点はステップＳ１６にて道路外計測データＥ２として除去される。
【００４８】
図４（ｃ）は，図４（ａ）の反射点群から道路外計測データＥ２を除いた後の反射点群の例を示す斜視図である。この例では、ステップＳ１２〜Ｓ１６により、車道面５０及び歩道面５２に属さない反射点である段差面５４の反射点が除去される。また、車道面５０及び歩道面５２の反射点のうち境界近傍の点も除去され得、その結果、車道面５０上の反射点群と歩道面５２上の反射点群との距離が広がり得る。
【００４９】
なお、水平面に投影した点群についてのドロネー三角形分割では、反射点間のＺ座標の違いを無視し水平座標のみに着目して反射点の隣接を判断するので、例えば、車道面５０とのＺ座標の差が大きな反射点であっても車道面５０上の反射点とドロネー三角形を形成し易い。つまり、図４に示した車道と歩道との間の高低差が小さい段差面５４上の反射点に限らず、道路面からＺ軸方向に大きく隔たった反射点であってもステップＳ１２〜Ｓ１６の処理で除去され得る。
【００５０】
道路外計測データＥ２を除去した残りのレーザー計測データ４０を許容勾配点群データＣ１とする。許容勾配点群抽出手段２０は許容勾配点群データＣ１を生成し、続いて道路面候補点群抽出手段２２が許容勾配点群データＣ１からさらにノイズ点群を除去する処理を行い、道路面候補点群を求める。
【００５１】
図５は図２のステップＳ１の処理のうち図３に続く部分を説明する概略のフロー図であり、ステップＳ１のうち主に道路面候補点群抽出手段２２の処理に関する部分が示されている。
【００５２】
道路面候補点群抽出手段２２は許容勾配点群抽出手段２０により生成された許容勾配点群計測データＣ１に対して外れ値解析を行う（ステップＳ２０）。具体的には、道路面候補点群抽出手段２２は、許容勾配点群計測データＣ１に含まれる各反射点についてその近傍の所定個数の反射点からなる局所点群を抽出する。そして、当該局所点群内にて各反射点とその最近隣の他の反射点とのユークリッド距離を求め、当該距離の分布において平均距離との差が所定の大きさＴｈ２以上である反射点を外れ値とし、ノイズ点群Ｅ３に分離し除去する（ステップＳ２２にて「Ｙｅｓ」の場合）。例えば、局所点群を構成する反射点の個数は３０点とすることができる。また、距離の分布の標準偏差をσＤで表すと、例えば、閾値Ｔｈ２は１σＤとすることができる。
【００５３】
道路面候補点群抽出手段２２は、ステップＳ２２でのノイズ点群Ｅ３の除去にて残った反射点群に対し、空間分布についての主成分分析を行う（ステップＳ２４）。当該主成分分析により点群の分布が大きい方向から順に第１主成分、第２主成分、第３主成分が求まり、これら各主成分に対応して第１〜第３固有値λ１〜λ３が算出される。固有値はそれに対応する主成分の方向における点群の分散値であり、λ１＞λ２＞λ３である。ここで、λ１／λ２が大きくなるほど点群は第１主成分の方向に沿って細長く分布する。また、λ１とλ２とが同程度の場合、λ３がλ１，λ２に比べて十分に小さければ点群は平面状に分布し、λ３が大きくなるにつれて分布形状は湾曲した面となる。
【００５４】
そこで、道路面候補点群抽出手段２２は、ステップＳ２０と同様に局所点群を抽出して主成分分析を行い（ステップＳ２４）、その分布形状の湾曲度合いが所定の閾値Ｔｈ３以上である場合（ステップＳ２６にて「Ｙｅｓ」の場合）、当該局所点群を道路以外の点群データＥ４に分離し除去する。例えば、ステップＳ２４での局所点群を構成する反射点の個数は３０点とすることができる。また、閾値Ｔｈ３は正規化した固有値におけるλ３の値として１％に設定することができる。
【００５５】
道路面候補点群抽出手段２２は、ステップＳ２６での点群データＥ４の除去にて残った反射点群に対し、ユークリッド距離についてのクラスタリングを行う（ステップＳ２８）。道路面は比較的広く連続するので、道路面候補点群抽出手段２２は、生成されたクラスターのうち反射点の数が所定個数Ｔｈ４より多いものを道路面候補点群Ｃ２として抽出し（ステップＳ３０にて「Ｙｅｓ」の場合）、それ以外のクラスターはノイズ点群Ｅ５に分類する（ステップＳ３０にて「Ｎｏ」の場合）。閾値Ｔｈ４は例えば、１０００点とすることができる。
【００５６】
ちなみに、図４の車道と歩道の例において上述したように、ステップＳ１２〜Ｓ１６の処理により段差近傍の反射点群は除去される結果、車道面５０上の反射点群と歩道面５２上の反射点群との距離が広がり得る。よって、車道面５０の反射点群と歩道面５２の反射点群とは別々のクラスターを形成することが期待できる。このことからステップＳ２８でのクラスタリングでは基本的に、或る１つの平坦面のクラスターは当該平坦面の反射点群からなり、当該平坦面の外側に存在する段差、他の平坦面、建物などの反射点群を含まない構成になっていることが理解できる。
【００５７】
以上、図２のうちステップＳ１である、レーザースキャナにより取得された反射点群の計測データに基づいて道路面を検出する処理を説明した。次に図２のステップＳ２である、レーザースキャナにより道路面から取得された反射点群の計測データ（道路面点群計測データＣ３）から道路標示オブジェクトを抽出する処理を説明する。
【００５８】
図６は図２のステップＳ２の処理を説明する概略のフロー図である。本実施形態では道路標示検出システム２は、道路面点群計測データＣ３として、ステップＳ１で抽出された道路面候補点群Ｃ２に関するレーザー計測データ４０を用いる。なお、道路面点群計測データＣ３として、本道路標示検出システム２を用いずに別途取得されたものを用いることもできる。
【００５９】
点群フィルタリング手段２４は道路面点群計測データＣ３に含まれる各反射点について当該反射点の所定近傍領域に存在する反射点群のレーザー反射強度のばらつき具合を表す指標値を算出する（ステップＳ４０）。ここでは当該近傍領域を窓領域と呼ぶことにする。
【００６０】
例えば、窓領域は円形とすることができる。また、当該円形の直径は検出対象とする道路標示の施工部分（以下、ペイント部と称する。）の最小寸法より大きくすることが好適である。但し、当該円の直径は、近傍領域を定めるという趣旨を逸脱しない限度内で設定され、例えば、分離して認識すべき２つの道路標示同士の想定される最小距離よりは小さく設定される。本実施形態では、道路標示を構成する線幅（太さ）が多くの場合、１０〜５０センチメートル〔ｃｍ〕程度であることから、窓領域は直径６０ｃｍの円とする。
【００６１】
また、本実施形態では窓領域内の反射点群のレーザー反射強度のばらつき具合を表す指標値として、当該反射点群におけるレーザー反射強度の標準偏差σＩを用いる。
【００６２】
図７はステップＳ４０の処理を説明する模式図である。図７（ａ）は道路面の平面図であり、当該道路面には道路標示の例として２本の白線６０，６２が存在する。白線６０と白線６２とは別々の道路標示を構成しており、それらの間には例えば、数メートル〔ｍ〕の距離が存在する。また、図７（ａ）にはいくつかの位置に窓領域６４を例示している。
【００６３】
図７（ｂ）は道路面のレーザー反射強度の図７（ａ）に示す直線６６に沿った変化の一例を示すグラフである。図７（ｂ）の横軸は、直線６６に沿った道路面上での位置であり、縦軸はレーザー反射強度であり、上向きを反射強度が増加する方向とする。図７（ｂ）に示す例では巨視的には左側から右側に向けてレーザー反射強度は減少している。そのため、本発明が解決しようとする課題として上述したように、例えば、直線７０で示す閾値で２値化すると白線６０における反射点は閾値を超えるが、白線６２における反射点は閾値を超えないという問題があった。
【００６４】
図７（ｃ）は直線６６に沿って窓領域を移動させた場合の標準偏差σＩの変化７２を示すグラフである。図７（ｃ）の横軸は、図７（ｂ）の横軸と同様、直線６６に沿った道路面上での位置であり、縦軸は標準偏差σＩであり、上向きをσＩが増加する方向とする。なお、或る反射点を中心として設定した窓領域にて算出した標準偏差σＩは、当該窓領域の中心の反射点に対応付ける。
【００６５】
標準偏差σＩは、窓領域内にてレーザー反射強度に起伏が存在する場合に大きくなり、窓領域内にてレーザー反射強度の一様性が高いと小さくなる。具体的には、窓領域６４ａ，６４ｂ，６４ｆ〜６４ｈのように窓領域が道路標示の部分と道路の「地」の部分とに跨がる位置、つまり道路標示の輪郭（エッジ）を含む位置にある場合に標準偏差σＩは大きくなり、逆に、窓領域６４ｃ〜６４ｅのように窓領域が道路の「地」の部分だけを含む場合、つまり道路標示のエッジを含まない場合に標準偏差σＩは小さくなる。ここで、窓領域が道路標示の部分だけを含む場合も、窓領域が道路標示のエッジを含まない場合となり、標準偏差σＩが小さくなり得る。しかし、本実施形態では上述のように、窓領域の直径を、検出対象とする道路標示のペイント部の最小寸法より大きく設定するので、窓領域が道路標示の部分だけを含む場合は基本的に考慮しないこととする。よって、標準偏差σＩに基づいて道路面のうちレーザー反射強度が一様と判断される領域は、本実施形態では道路の「地」の部分からなる。
【００６６】
さて、標準偏差σＩは窓領域内のレーザー反射強度のばらつきに応じて変化する値であり、レーザー反射強度自体は直接には標準偏差σＩに影響しない。そのため、例えば、窓領域６４ｃ〜６４ｅの相互間にはレーザー反射強度の相違が存在するが、標準偏差σＩには違いが現れない。また、図７（ｂ）に巨視的な変化として示したような緩やかなレーザー反射強度の変化は、道路標示のエッジにおけるレーザー反射強度の変化ほどには標準偏差σＩを増加させない。そのため、例えば、窓領域６４ｃ〜６４ｅでの標準偏差σＩは窓領域６４ａ，６４ｂ，６４ｆ〜６４ｈでの標準偏差σＩに比べて小さい。
【００６７】
これらの標準偏差σＩの性質から、道路面の各反射点について求めた標準偏差σＩの分布において、道路標示のエッジを含まない窓領域での標準偏差σＩは、道路標示のエッジを含む窓領域での標準偏差σＩに比べて概して小さく、またエッジを含む窓領域での標準偏差σＩとは好適に分離される。
【００６８】
そこで、点群フィルタリング手段２４は、Ｊｅｎｋｓの自然階級分類法を用いて、各反射点に対し算出された標準偏差σＩに基づき、道路面上の複数の反射点を複数のクラスに分類する（ステップＳ４２）。標準偏差σＩが低いクラスの反射点ほど、その近傍でのレーザー反射強度の起伏が小さい。つまり、そのような反射点ほど、道路標示のエッジを含まない窓領域の中心に位置し、よって道路標示のエッジから窓領域の半径以上離れた道路面の「地」の反射点である可能性が高い。そこで、標準偏差σＩが一番小さい最下位クラスの反射点群は、レーザー反射強度が一様となる道路面の「地」の反射点群であると推定し、道路標示以外の点群Ｅ６として分離、除去し（ステップＳ４４にて「Ｙｅｓ」の場合）、残りを反射強度起伏点群Ｃ４として抽出する（ステップＳ４４にて「Ｎｏ」の場合）。
【００６９】
ここで分類するクラス数が少ないほど、最下位クラスに道路標示の反射点が混入し易くなり、逆にクラス数が多いほど、最下位クラスより上のクラスにも道路標示以外の反射点が含まれ易くなって、道路標示以外の反射点の除去漏れが起こり易くなる。よって、クラス数はこの点を考慮して設定する。本実施形態ではクラス数は４とし、点群フィルタリング手段２４はそのうち最下位クラスを除去し、上位３クラスを反射強度起伏点群Ｃ４として点群クラスタリング手段２６に渡す。
【００７０】
点群クラスタリング手段２６は反射強度起伏点群Ｃ４に対し、道路標示の検出に関する予め設定された所要分解能に応じて、ユークリッド距離に基づくクラスタリングを行い、道路標示ごとに分離された点群クラスターを生成する（ステップＳ４６）。
【００７１】
道路標示の検出に関する所要分解能は、道路標示の２つのペイント部を互いに別の道路標示と認識するペイント部間の距離である。本発明においては、１つの道路標示を構成する複数のペイント部が一体の道路標示として認識される程度に分解能は低く設定されることが求められ、所要分解能は基本的には、窓領域の円の直径の上限として上述した、分離して認識すべき２つの道路標示同士の想定される最小距離に設定される。
【００７２】
例えば、横断歩道の道路標示として、互いに分離した複数本の白線を４５〜５０ｃｍの間隔を設けて平行に配列したゼブラパターンがある。この横断歩道の標示を個々の白線としてではなく、１つのまとまりとして抽出するという例では、所要分解能として白線の間隔以上の寸法を設定することが必要となる。
【００７３】
道路標示候補点群抽出手段２８は、点群クラスタリング手段２６により生成された点群クラスターごとに、レーザー反射強度に関する２クラスのクラスタリングを行い（ステップＳ４８）、閾値以上のレーザー反射強度を有する反射点群を１つの道路標示に対応する道路標示候補点群Ｃ５として抽出し（ステップＳ５０にて「Ｙｅｓ」の場合）、一方、閾値未満の反射点群を道路標示以外の点群Ｅ７として分離、除去する（ステップＳ５０にて「Ｎｏ」の場合）。具体的には、反射強度起伏点群Ｃ４には、道路標示のペイント部の反射点群の他に、ペイント部の輪郭から窓領域の円の半径程度の距離までの道路の「地」の部分の反射点群が含まれており、道路標示候補点群抽出手段２８はこれらのうちペイント部の点群の抽出を図る。
【００７４】
ステップＳ４８におけるクラスタリングは例えば、Ｊｅｎｋｓの自然階級分類法を用いて行われる。ここで、当該クラスタリングは、道路標示ごとに分けられた点群クラスターごとに行われ、Ｊｅｎｋｓの自然階級分類法を用いることで、２クラスに分類する閾値は当該点群クラスターごとに設定されることに留意する。つまり、図７（ｂ）の説明で述べた、別々の道路標示を構成する白線６０，６２を共通の閾値（直線７０）で２値化する手法とは相違し、道路標示の対象空間内での位置の違いなどによるレーザー反射強度の変動の影響を受けにくく、道路標示の検出精度の向上が図られる。なお、ステップＳ４８におけるクラスタリングは自然階級分類法を用いずに、道路標示ごとの点群クラスターごとに閾値を設定する他の手法としてもよい。
【００７５】
図８は図２のステップＳ２の道路標示オブジェクト抽出に関する上述の処理を説明する模式図である。図８は道路面の一例の平面図であり、図８（ａ）〜（ｃ）は共通の道路面７４を表している。当該道路面には道路標示の例として２箇所に横断歩道７６，７８が存在する。横断歩道７６のペイント部として複数本の白線７６ｐを有し、同様に横断歩道７８は複数本の白線７８ｐを有する。図８（ａ）〜（ｃ）において斜線部は反射点群が存在する領域を表している。
【００７６】
具体的には、図８（ａ）は道路面点群計測データＣ３における反射点群の存在範囲を示しており、道路面全体に反射点群が存在する。
【００７７】
図８（ｂ）は点群フィルタリング手段２４及び点群クラスタリング手段２６による処理結果を示している。点群フィルタリング手段２４により、窓領域内にレーザー反射強度が一様となる反射点が除去され、ペイント部７６ｐ，７８ｐとその周囲の道路の「地」の部分に存在する反射点群８０-1〜８０-8が反射強度起伏点群Ｃ４として抽出される。さらに点群クラスタリング手段２６により、互いに距離が近い反射点群８０-1〜８０-4が１つの道路標示の点群クラスター８２とされ、互いに距離が近い反射点群８０-5〜８０-8は反射点群８０-1〜８０-4とは距離が離れているので、点群クラスター８２とは別の道路標示の点群クラスター８４とされる。
【００７８】
図８（ｃ）は道路標示候補点群抽出手段２８による処理結果を示している。道路標示候補点群抽出手段２８は点群クラスター８２についてレーザー反射強度に関する２クラスのクラスタリングを行い、反射強度が小さいクラスを除去し、反射強度が大きいクラスを道路標示候補点群Ｃ５として抽出する。これにより、ペイント部７６を囲む道路の「地」の部分の反射点群が除去され、複数のペイント部７６ｐに存在する反射点群が１つの道路標示オブジェクトとして抽出される。同様に、点群クラスター８４から複数のペイント部７８ｐに存在する反射点群が別の１つの道路標示オブジェクトとして抽出される。
【００７９】
以上、図２のうちステップＳ２である、道路標示オブジェクトを抽出する処理を説明した。次に図２のステップＳ３である、道路標示オブジェクトの識別処理を説明する。
【００８０】
図９は図２のステップＳ３の処理を説明する概略のフロー図である。上述したステップＳ２の処理で、道路標示オブジェクトとして道路標示候補点群Ｃ５が求められ、ステップＳ３にはこの道路標示オブジェクトが処理対象データとして渡される。具体的には、道路標示候補点群Ｃ５には道路標示オブジェクトに対応する点群クラスターが定義されている。
【００８１】
画像生成手段３０は当該点群クラスターの道路面での分布領域に基づいて道路標示候補図形の画像を生成する。例えば、当該画像としてラスタ画像を生成する。当該ラスタ画像は２値画像とすることができ、例えば、道路標示候補図形を構成する画素が画素値“１”又は白、当該図形外の領域の画素が画素値“０”又は黒で表される。
【００８２】
具体的には、画像生成手段３０は、まず、道路標示オブジェクトごとに、点群クラスターを構成する各反射点を水平面（又は道路面）へ投影し、反射点が投影された位置の画素値を“１”、それ以外の画素の画素値を“０”と定義した初期画像を生成する（ステップＳ６０）。そして、モルフォロジー処理により、初期画像における点群間の隙間を埋め、道路標示のペイント部に対応する領域の画素値が“１”となった画像を生成する（ステップＳ６２）。
【００８３】
画像特徴抽出手段３２は、ステップＳ６２にてペイント部に対応する領域として生成された道路標示候補図形から画像特徴を抽出する。まず、画像特徴抽出手段３２は道路標示候補図形の重心を算出し（ステップＳ６４）、また道路標示候補図形の輪郭を抽出する（ステップＳ６６）。そして、画像特徴抽出手段３２は、輪郭を構成する各画素（輪郭画素）について重心からの距離（重心距離）を計算する（ステップＳ６８）。輪郭画素の数をＮ、画像内の各輪郭画素に付与したインデックスをｎ（ｎは０〜Ｎ−１の整数）として、Ｎ個の重心距離ｕ(ｎ)が得られる。インデックスは画像生成手段３０により生成される画像に対して共通の規則で付与され、例えば、画像のラスタスキャンで現れる輪郭画素に順番に昇順で付与する。
【００８４】
画像特徴抽出手段３２はこの重心距離ｕ(ｎ)を離散フーリエ変換して、次式で与えられる周波数スペクトラムを算出する（ステップＳ７０）。
【００８５】
【数１】
2018173749.tif 000003
【００８６】
道路標示候補図形の画像特徴として、この周波数スペクトラムを利用する。ここで、周波数スペクトラムの全成分を、道路標示判別手段３４における機械学習を利用した道路標示の判別に用いることとすると、オーバーフィッティング（過剰適合）の問題が起こり易い。そこで、周波数スペクトラムのうち低周波数側の端部の所定周波数幅δＬでの成分と高周波数側の端部の所定周波数幅δＨでの成分とを画像特徴として抽出する。すなわち、低周波数側からＵ(０)，Ｕ(１)，…，Ｕ(δＬ−１)を抽出し、高周波数側からＵ(Ｎ−１)，Ｕ(Ｎ−２)，…，Ｕ(Ｎ−δＨ)を抽出する。例えば、δＬ，δＨはＮ個の成分に対し一定割合の成分数と定めることができる。また、δＬ，δＨは全成分数Ｎにかかわらず、予め定めた一定値とすることもできる。
【００８７】
また、画像特徴抽出手段３２は画像特徴としてさらに道路標示候補図形のモーメントを算出する。例えば、次式で定義される０次モーメントｍ０，０、１次モーメントｍ１，０，ｍ０，１を画像特徴として算出する。なお、次式にてｂ(ｘ，ｙ)は道路標示候補図形を表す画像の画素(ｘ，ｙ)での画素値であり、上述したようにペイント部では１、それ以外では０である。また、総和記号Σは当該画像の全画素についての和をとることを意味している。
ｍ０，０＝Σｂ(ｘ，ｙ)
ｍ１，０＝Σｘｂ(ｘ，ｙ)
ｍ０，１＝Σｙｂ(ｘ，ｙ)
【００８８】
これらモーメントを用いることで、例えば、周波数スペクトラムでは失われている道路標示候補図形のサイズや向き（画像面内での回転角度）の情報が補われる。
【００８９】
道路標示判別手段３４は、画像特徴抽出手段３２が抽出した画像特徴を、機械学習により生成された識別器４２への入力とし、識別器が出力する尤度に基づいて道路標示候補図形が道路標示であるか、及びその種類を判別する（ステップＳ７２）。例えば、検出対象とする複数種類の道路標示ごとに用意された識別器４２それぞれに、判別対象の道路標示オブジェクト（道路標示候補図形）の画像特徴を入力し、所定値以上の出力値が得られた識別器４２のうち最大の出力値が得られた識別器に対応する道路標示を、当該道路標示オブジェクトの判別結果とする。
【００９０】
ちなみに、識別器４２は既に述べたように、道路標示の種類ごとに、学習用データを用いた機械学習により生成される。すなわち、或る種類の道路標示の学習は、当該種類の道路標示オブジェクトであることが分かっている反射点群に関する複数のデータと、当該種類の道路標示オブジェクトでないことが分かっている反射点群に関する複数のデータとを学習用データとして行われる。学習に際しての画像特徴の抽出は、図２のステップＳ３に関し上述した処理と同様にして行われる。
【００９１】
上述の実施形態では窓領域の直径を、検出対象とする道路標示のペイント部の最小寸法より大きく設定するとしたが、窓領域の大きさはペイント部の最小寸法より小さく設定することもできる。この場合、点群フィルタリング手段２４によりペイント部内にレーザー反射強度が一様と判断される領域が生じる。つまり、図２のステップＳ２にて道路標示候補点群抽出手段２８により抽出される道路標示オブジェクトが、ペイント部の縁領域の反射点群のみとなり、ペイント部の内部に反射点群が除去された領域が生じ得る。この場合、ステップＳ３にて例えば、画像生成手段３０は、反射点群の密度が高いペイント部の縁部にて点群間の隙間を埋めてペイント部の輪郭に沿った中空の道路標示候補図形を生成し、画像特徴抽出手段３２はこの中空の道路標示候補図形から重心、輪郭を求め、さらに画像特徴を抽出する構成とすることができる。また、画像生成手段３０は中空部分を埋めた道路標示候補図形を生成する構成とすることもできる。
【産業上の利用可能性】
【００９２】
道路標示検出システム２により、レーザー計測データ４０から検出された道路標示は、高度道路交通システム（Intelligent Transport Systems：ＩＴＳ）や自動運転のためのデータアーカイブや道路地図作成に用いることができる。
【符号の説明】
【００９３】
２  道路標示検出システム、４  演算処理装置、６  記憶装置、８  入力装置、１０  出力装置、２０  許容勾配点群抽出手段、２２  道路面候補点群抽出手段、２４  点群フィルタリング手段、２６  点群クラスタリング手段、２８  道路標示候補点群抽出手段、３０  画像生成手段、３２  画像特徴抽出手段、３４  道路標示判別手段、４０  レーザー計測データ、４２  識別器。
【図１】
2018173749.tif 000004
【図２】
2018173749.tif 000005
【図３】
2018173749.tif 000006
【図４】
2018173749.tif 000007
【図５】
2018173749.tif 000008
【図６】
2018173749.tif 000009
【図７】
2018173749.tif 000010
【図８】
2018173749.tif 000011
【図９】
2018173749.tif 000012